(57)【要約】【課題】ソースラインに接続されずに余る電位出力端が生じる場合でも、タイミングコントローラによるスタートパルス入力後に、ダミーデータなしで、実際の画像データを読み込むことができるソースドライバを提供する。【解決手段】シフトレジスタ１は、ラッチ部５に対してデータ読み込み指示信号を出力するデータ読み込み指示信号出力部２を複数個備える。第１スイッチ３は、タイミングコントローラからのスタートパルスを一番左のデータ読み込み指示信号出力部２に入力するか、左から４番目のデータ読み込み指示信号出力部２に入力するかを切り替え可能である。第２スイッチ４は、スタートパルスを左から８０２番目のデータ読み込み指示信号出力部２に入力するか、左から７９９番目のデータ読み込み指示信号出力部２に入力するかを切り替え可能である。【選択図】図１
2012128095.tif 000002
【特許請求の範囲】
【請求項１】
液晶パネルのソースラインに電位を設定するソースドライバであって、
１画素分の画像データの読み込みを指示するデータ読み込み指示信号を出力するデータ読み込み指示信号出力部を複数個含み、外部から特定の制御信号を入力されたデータ読み込み指示信号出力部から、定められた順序でデータ読み込み指示信号を出力するシフトレジスタと、
シフトレジスタから１つのデータ読み込み指示信号が入力される毎に、１画素分の画像データを読み込み、保持するラッチ手段と、
ラッチ手段に読み込まれた画像データに応じた電位の設定先として予め定められたソースラインに対して、前記画像データに応じた電位を設定する電位設定手段とを備え、
データ読み込み指示信号出力部はシフトレジスタ内に並べて配置され、
外部から入力される前記特定の制御信号を、シフトレジスタ内のどのデータ読み込み指示信号出力部に入力させるかを切り替え可能なスイッチを備える
ことを特徴とするソースドライバ。
【請求項２】
シフトレジスタは、ラッチ手段に液晶パネルの所定側に該当する画像データから読み込ませる第１の読み込み態様における動作と、ラッチ手段に前記所定側とは反対側に該当する画像データから読み込ませる第２の読み込み態様における動作とに切り替え可能であり、
シフトレジスタが第１の読み込み態様に切り替えられた場合に、外部から入力される前記特定の制御信号を、シフトレジスタ内のどのデータ読み込み指示信号出力部に入力させるかを切り替え可能な第１のスイッチと、
シフトレジスタが第２の読み込み態様に切り替えられた場合に、外部から入力される前記特定の制御信号を、シフトレジスタ内のどのデータ読み込み指示信号出力部に入力させるかを切り替え可能な第２のスイッチとを備える
請求項１に記載のソースドライバ。
【請求項３】
シフトレジスタは、１つのデータ読み込み指示信号出力部から１つのデータ読み込み指示信号を出力し、
ラッチ手段は、前記データ読み込み指示信号に応じて、１画素分の画像データを読み込み、
第１のスイッチは、ｋを１以上の整数のうちの１つとしたときに、外部から入力される特定の制御信号を、少なくとも、所定側から１番目のデータ読み込み指示信号出力部に入力させるか、前記所定側から３・ｋ＋１番目のデータ読み込み指示信号出力部に入力させるかを切り替え可能であり、
第２のスイッチは、ｊを１以上の整数のうちの１つとし、データ読み込み指示信号出力部の数をｎとしたときに、外部から入力される特定の制御信号を、少なくとも、前記所定側からｎ−２番目のデータ読み込み指示信号出力部に入力させるか、前記所定側からｎ−３・（ｊ＋１）＋１番目のデータ読み込み指示信号出力部に入力させるかを切り替え可能である
請求項２に記載のソースドライバ。
【請求項４】
シフトレジスタは、１つのデータ読み込み指示信号出力部からデータ読み込み指示信号を出力し、
ラッチ手段は、前記データ読み込み指示信号に応じて、３画素分の画像データを読み込み、
第１のスイッチは、ｋを２以上の整数のうちの１つとしたときに、外部から入力される特定の制御信号を、少なくとも、所定側から１番目のデータ読み込み指示信号出力部に入力させるか、前記所定側からｋ番目のデータ読み込み指示信号出力部に入力させるかを切り替え可能であり、
第２のスイッチは、ｊを２以上の整数のうちの１つとし、データ読み込み指示信号出力部の数をｎとしたときに、外部から入力される特定の制御信号を、少なくとも、前記所定側からｎ番目のデータ読み込み指示信号出力部に入力させるか、前記所定側からｎ−ｊ＋１番目のデータ読み込み指示信号出力部に入力させるかを切り替え可能である
請求項２に記載のソースドライバ。
【請求項５】
シフトレジスタは、当該シフトレジスタ内に並べて配置される複数のデータ読み込み指示信号出力部のうち、中央に連続して配置される所定のデータ読み込み指示信号出力部からのデータ読み込み指示信号の出力可否を切り替え可能である
請求項１から請求項４のうちのいずれか１項に記載のソースドライバ。
【請求項６】
請求項１から請求項５のうちのいずれか１項に記載のソースドライバを液晶パネルに複数個並べて実装させ、左端に配置されたソースドライバの左側から１本目の電位出力端は液晶パネルのソースラインに接続されず、右端に配置されたソースドライバの右側から１本目の電位出力端は液晶パネルのソースラインに接続されないことを特徴とする液晶表示装置。
【請求項７】
請求項１から請求項５のうちのいずれか１項に記載のソースドライバを液晶パネルに実装させ、ソースドライバの左側から１本目の電位出力端および／またはソースドライバの右側から１本目の電位出力端が液晶パネルのソースラインに接続されないことを特徴とする液晶表示装置。
【発明の詳細な説明】
【技術分野】
【０００１】
本発明は、液晶パネルのソースラインの電位を設定するソースドライバとそれを用いた液晶表示装置に関する。
【背景技術】
【０００２】
液晶パネルを駆動する駆動回路が種々提案されている（例えば、特許文献１，２参照）。特許文献１には、ソースドライバの９６０個のソース端子を、１番目から３２０番目までのソース端子群、３２１番目から６４０番目までのソース端子群、および、６４１番目から９６０番目までのソース端子群の３つに区分し、区分毎に集中アンプ方式によって液晶パネルを駆動することが記載されている。
【０００３】
また、特許文献２には、制御信号の発行タイミングや信号幅、出力極性等を任意に設定可能な回路構成を有することによって、ＶＧＡ（Video Graphics Array）、ＷＶＧＡ（Wide-ＶＧＡ ）等を問わず、１種のＩＣで多種の液晶パネルを表示できる液晶駆動回路が記載されている。
【０００４】
以下、説明を簡単にするために、液晶パネルが、ソースラインおよびゲートラインを含むＴＦＴ（Thin Film Transistor）液晶パネルである場合を例にして説明する。
【０００５】
また、表示回路の解像度の規格が種々知られている。このような解像度の種類として、上述のＶＧＡ（６４０ＲＧＢ×４８０），ＷＶＧＡ（８００ＲＧＢ×４８０）の他に、ＳＷＶＧＡ（１０２４ＲＧＢ×６００）等がある。なお、例えば、“６４０ＲＧＢ×４８０”とは、横方向に６４０ピクセル存在し、そのそれぞれがＲ（赤色），Ｇ（緑色），Ｂ（青色）のサブピクセルを含み、縦方向に４８０ピクセル存在することを意味する。従って、この場合、ソースラインの本数は、６４０×３＝１９２０本であり、ゲートラインの本数が４８０本となる。なお、以下の説明において、サブピクセルを画素と記す場合がある。
【０００６】
また、一般に、ＶＧＡ，ＷＶＧＡ，ＳＷＶＧＡ等の液晶パネルにおけるソースラインの本数と、液晶パネルの駆動に用いられるソースドライバの電位出力端の数とは一致しない。例えば、８０４個の電位出力端を有するソースドライバ等が各種解像度の液晶パネルの駆動に用いられる。以下、８０４個の電位出力端を有するソースドライバを例にして説明する。なお、ここで述べた「電位出力端」とは、ソースラインに接続され、ソースラインの電位を設定する端子を意味する。
【０００７】
液晶パネルのソースラインの本数よりもソースドライバの電位出力端の数の方が少ない場合、複数のソースドライバを用いて液晶パネルを駆動する。複数のソースドライバを用いると、それらのソースドライバの電位出力端の総数が、液晶パネルのソースラインの本数よりも多くなる。そして、電位出力端の総数がソースラインの本数を大きく上回る場合には、各ソースドライバの電位出力端の並びにおける中央部分の電位出力端群を使用しない。すなわち、中央部分の電位出力端群をソースラインに接続させない。なお、ソースラインに接続させない電位出力端を定める場合、Ｒ，Ｇ，Ｂの組単位で定めるので、中央部分においてソースラインに接続させないと定められる電位出力端の数は３の倍数にする必要がある。
【０００８】
中央部分の電位出力端群をソースラインに接続させないようにしても、ソースラインの数と、使用すると定めた電位出力端の数（換言すれば、ソースラインに接続させると定めた電位出力端の数）は一致せず、ソースラインに接続されずに余る電位出力端が存在する。
【０００９】
例えば、ＶＧＡの場合、液晶パネルのソースライン本数は、６４０×３＝１９２０本である。この液晶パネルを、８０４個の電位出力端を有するソースドライバで駆動する場合、３個のソースドライバを用いれば、電位出力端の総数は２４１２個となり、ソースライン本数を上回る。このとき、電位出力端の総数とソースライン本数の差が大きくなるので、各ソースドライバにおける中央付近の電位出力端（具体的には、３１９番目から４８０番目までの電位出力端）を使用せずに、６４２個の電位出力端を使用することとする。この場合、使用すると定めた電位出力端の総数は、６４２×３＝１９２６個であるが、ソースラインの本数は１９２０本であるため、６個の電位出力端が余る。なお、以下の説明において、電位出力端の順番は、視認側から見て左側を基準にして定めるものとする。
【００１０】
また、例えば、ＷＶＧＡの場合、液晶パネルのソースラインの本数は、８００×３＝２４００本である。この液晶パネルを、８０４個の電位出力端を有するソースドライバで駆動する場合、３個のソースドライバを用いれば、電位出力端の総数は２４１２個となり、ソースライン本数を上回る。この場合には、電位出力端の総数とソースライン本数の差が小さいので、各ソースドライバにおいて、８０４個の電位出力端を全て使用すると定めればよい。この場合、使用すると定めた電位出力端の総数は、８０４×３＝２４１２個となるが、ソースラインの本数は２４００本であるので、１２個の電位出力端が余る。
【００１１】
また、例えば、ＳＷＶＧＡの場合、８０４個の電位出力端を有するソースドライバを４個用いて、各ドライバにおける中央付近の電位出力端を使用しないように定めればよい。この場合でも、使用すると定めた電位出力端の総数がソースラインの本数を上回ることになり、ソースラインに接続されずに残る電位出力端が生じる。
【００１２】
図８および図９は、３個のソースドライバでＶＧＡの液晶パネルを駆動する場合に余る電位出力端の配置例を示す説明図である。図８および図９において、ソースドライバ９１の近傍に示した数は、ソースラインに接続させると定めた電位出力端の範囲を表し、ソースドライバ９１において黒色で示した部分は、ソースラインに接続させないと定めた電位出力端の位置を示す。すなわち、各ソースドライバ９１において、左から１番目から３１８番目までの電位出力端および左から４８１番目から８０４番目までの電位出力端がソースラインに接続させると定める。また、左から３１９番目から４８０番目までの電位出力端は、ソースラインに接続させないと定める。ただし、既に説明したように、この場合、６個の電位出力端がソースラインに接続されずに余る。
【００１３】
ソースラインに接続されずに残る６個の電位出力端を、図８に示すように、視認側から見て一番右端に配置されるソースドライバの一番右側に集中させる構成が考えられる。すなわち、左側から１番目および２番目のソースドライバ９１では、左から１番目から３１８番目までの電位出力端および左から４８１番目から８０４番目までの電位出力端をソースラインに接続させる。そして、一番右端のソースドライバでは、左から１番目から３１８番目までの電位出力端および左から４８１番目から８０４番目までの電位出力端のうち、右側から６番目までの電位出力端をソースラインに接続させずに余らせる。
【００１４】
また、ソースラインに接続されずに残る６個の電位出力端を、図９に示すように、視認側から見て一番左側に配置されるソースドライバの左側と、一番右側に配置されるソースドライバの右側とに３つずつ均等に振り分ける構成が考えられる。すなわち、左側から１番目のソースドライバ９１では、左から１番目から３１８番目までの電位出力端および左から４８１番目から８０４番目までの電位出力端のうち、左側から３番目までの電位出力端をソースラインに接続させずに余らせる。左から２番目のソースドライバ９１では、左から１番目から３１８番目までの電位出力端および左から４８１番目から８０４番目までの電位出力端をソースラインに接続させる。そして、一番右端のソースドライバでは、左から１番目から３１８番目までの電位出力端および左から４８１番目から８０４番目までの電位出力端のうち、右側から３番目までの電位出力端をソースラインに接続させずに余らせる。
【００１５】
図８および図９では、ＶＧＡの液晶パネルを３個のソースドライバで駆動する場合を例示したが、他の解像度の場合においても、図８や図９と同様に、余らせる電位出力端を右側に集中させたり、あるいは、左右に振り分けたりすればよい。
【００１６】
また、一般に、ソースドライバは、タイミングコントローラ（図示略）からスタートパルスが入力された後、タイミングコントローラから入力されるクロック信号の周期に合わせて、画像データを順番に読み込む。ここで、液晶パネルを視認側から見た場合に、左側に位置するピクセルに対応する画像データから順に読み込んでいく態様を正スキャンと記す。逆に、右側に位置するピクセルに対応する画像データから順に読み込んでいく態様を逆スキャンと記す。
【００１７】
また、ピクセルを単位として（換言すれば、Ｒ，Ｇ，Ｂの組を単位として）画像データを読み込むことを、「パラレルに画像データを読み込む」と称する場合がある。また、Ｒ，Ｇ，Ｂの個々のサブピクセルを単位として画像データを読み込むことを、「シリアルに画像データを読み込む」と称する場合がある。
【先行技術文献】
【特許文献】
【００１８】
【特許文献１】特開２００９−６９１９９号公報
【特許文献２】特開２００５−２４１８２１号公報
【発明の概要】
【発明が解決しようとする課題】
【００１９】
図８に例示する構成とし、正スキャンで画像を読み込む場合、タイミングコントローラ（図示略）が一番左側のソースドライバにスタートパルスおよびクロック信号を入力すれば、そのソースドライバは、スタートパルスの入力後、クロック信号の周期に合わせて、画像データを読み込む。しかし、逆スキャンの場合には、右側に位置するピクセルに対応する画像データから順に読み込む。このとき、一番右側のソースドライバにおける右側の６個の電位出力端は、ソースラインに接続されていない。そのため、タイミングコントローラは、一番右側のソースドライバにスタートパルスを入力した後、２ピクセル分のダミーデータをそのソースドライバに読み込ませてから実際の画像データを読み込ませるように制御する必要がある。すなわち、図８に例示する構成とした場合、正スキャンの場合と逆スキャンの場合とで、タイミングコントローラは異なる動作をしなければならない。なお、２ピクセル分のダミーデータは、ソースドライバがパラレルに画像データを読み込む場合、クロック信号２周期分のデータに相当する。
【００２０】
一方、図９に例示する構成では、正スキャンの場合、タイミングコントローラは、一番左側のソースドライバにスタートパルスを入力した後、１ピクセル分のダミーデータをそのソースドライバに読み込ませてから実際の画像データを読み込ませるように制御する。また、逆スキャンの場合、タイミングコントローラは、一番右側のソースドライバにスタートパルスを入力した後、１ピクセル分のダミーデータをそのソースドライバに読み込ませてから実際の画像データを読み込ませるように制御する。すなわち、タイミングコントローラは、正スキャンの場合と逆スキャンの場合とで同様の動作を行えばよい。ただし、ソースドライバにスタートパルスを入力した後、１ピクセル分のダミーデータをそのソースドライバに読み込ませてから実際の画像データを読み込ませるように制御しなければならない。そのため、タイミングコントローラにそのような制御を実行させるアプリケーションを用意しなければならなかった。
【００２１】
そこで、本発明は、ソースラインに接続されずに余る電位出力端が生じる場合でも、タイミングコントローラによるスタートパルス入力後に、ダミーデータなしで、実際の画像データを読み込むことができるソースドライバを提供することを目的とする。
【課題を解決するための手段】
【００２２】
本発明による第１態様のソースドライバは、液晶パネルのソースラインに電位を設定するソースドライバであって、１画素分の画像データの読み込みを指示するデータ読み込み指示信号を出力するデータ読み込み指示信号出力部を複数個含み、外部から特定の制御信号（例えば、スタートパルス）を入力されたデータ読み込み指示信号出力部から、定められた順序でデータ読み込み指示信号を出力するシフトレジスタ（例えば、シフトレジスタ１，３１）と、シフトレジスタから１つのデータ読み込み指示信号が入力される毎に、１画素分の画像データを読み込み、保持するラッチ手段（例えば、ラッチ部５，１５）と、ラッチ手段に読み込まれた画像データに応じた電位の設定先として予め定められたソースラインに対して、その画像データに応じた電位を設定する電位設定手段（例えば、電位設定部７）とを備え、データ読み込み指示信号出力部がシフトレジスタ内に並べて配置され、外部から入力される特定の制御信号を、シフトレジスタ内のどのデータ読み込み指示信号出力部に入力させるかを切り替え可能なスイッチ（例えば、第１スイッチ３）を備えることを特徴とする。
【００２３】
また、本発明による第２態様のソースドライバは、シフトレジスタが、ラッチ手段に液晶パネルの所定側に該当する画像データから読み込ませる第１の読み込み態様（例えば、正スキャン）における動作と、ラッチ手段に所定側とは反対側に該当する画像データから読み込ませる第２の読み込み態様（例えば、逆スキャン）における動作とに切り替え可能であり、シフトレジスタが第１の読み込み態様に切り替えられた場合に、外部から入力される特定の制御信号を、シフトレジスタ内のどのデータ読み込み指示信号出力部に入力させるかを切り替え可能な第１のスイッチ（例えば、第１スイッチ３）と、シフトレジスタが第２の読み込み態様に切り替えられた場合に、外部から入力される特定の制御信号を、シフトレジスタ内のどのデータ読み込み指示信号出力部に入力させるかを切り替え可能な第２のスイッチ（例えば、第２スイッチ４）とを備える。
【００２４】
また、本発明による第３態様のソースドライバは、シフトレジスタ（例えば、シフトレジスタ１）が、１つのデータ読み込み指示信号出力部から１つのデータ読み込み指示信号を出力し、ラッチ手段（例えば、ラッチ部５）が、データ読み込み指示信号に応じて、１画素分の画像データを読み込み、第１のスイッチが、ｋを１以上の整数のうちの１つとしたときに、外部から入力される特定の制御信号を、少なくとも、所定側から１番目のデータ読み込み指示信号出力部に入力させるか、所定側から３・ｋ＋１番目のデータ読み込み指示信号出力部に入力させるかを切り替え可能であり、第２のスイッチが、ｊを１以上の整数のうちの１つとし、データ読み込み指示信号出力部の数をｎとしたときに、外部から入力される特定の制御信号を、少なくとも、所定側からｎ−２番目のデータ読み込み指示信号出力部に入力させるか、所定側からｎ−３・（ｊ＋１）＋１番目のデータ読み込み指示信号出力部に入力させるかを切り替え可能である構成であってもよい。
【００２５】
さらに、本発明による第４態様のソースドライバは、シフトレジスタ（例えば、シフトレジスタ３１）が、１つのデータ読み込み指示信号出力部からデータ読み込み指示信号を出力し、ラッチ手段（例えば、ラッチ部１５）が、データ読み込み指示信号に応じて、３画素分の画像データを読み込み、第１のスイッチが、ｋを２以上の整数のうちの１つとしたときに、外部から入力される特定の制御信号を、少なくとも、所定側から１番目のデータ読み込み指示信号出力部に入力させるか、所定側からｋ番目のデータ読み込み指示信号出力部に入力させるかを切り替え可能であり、第２のスイッチが、ｊを２以上の整数のうちの１つとし、データ読み込み指示信号出力部の数をｎとしたときに、外部から入力される特定の制御信号を、少なくとも、所定側からｎ番目のデータ読み込み指示信号出力部に入力させるか、所定側からｎ−ｊ＋１番目のデータ読み込み指示信号出力部に入力させるかを切り替え可能である構成であってもよい。
【００２６】
本発明による第５態様のソースドライバは、シフトレジスタが、当該シフトレジスタ内に並べて配置される複数のデータ読み込み指示信号出力部のうち、中央に連続して配置される所定のデータ読み込み指示信号出力部からのデータ読み込み指示信号の出力可否を切り替え可能である構成であってもよい。
【００２７】
また、本発明による液晶表示装置は、第１から第５のうちのいずれか１つの態様のソースドライバを液晶パネルに複数個並べて実装させ、左端に配置されたソースドライバの左側から１本目の電位出力端は液晶パネルのソースラインに接続されず、右端に配置されたソースドライバの右側から１本目の電位出力端は液晶パネルのソースラインに接続されないことを特徴とする。
【００２８】
また、本発明による液晶表示装置は、第１から第５のうちのいずれか１つの態様のソースドライバを液晶パネルに実装させ、ソースドライバの左側から１本目の電位出力端および／またはソースドライバの右側から１本目の電位出力端が液晶パネルのソースラインに接続されないことを特徴とする。
【発明の効果】
【００２９】
本発明のソースドライバおよび液晶表示装置によれば、ソースラインに接続されずに余る電位出力端が生じる場合でも、タイミングコントローラによるスタートパルス入力後に、ダミーデータなしで、実際の画像データを読み込むことができる。
【図面の簡単な説明】
【００３０】
【図１】本発明の第１の実施形態のソースドライバの例を示す説明図。
【図２】スタートパルスおよびＣＬＫの例を示す説明図。
【図３】第１の実施形態における正スキャン時のキャリー信号の送り順の例を示す説明図。
【図４】第１の実施形態における逆スキャン時のキャリー信号の送り順の例を示す説明図。
【図５】本発明の第２の実施形態のソースドライバの例を示す説明図。
【図６】第２の実施形態における正スキャン時のキャリー信号の送り順の例を示す説明図。
【図７】第２の実施形態における逆スキャン時のキャリー信号の送り順の例を示す説明図。
【図８】３個のソースドライバでＶＧＡの液晶パネルを駆動する場合に余る電位出力端の配置例を示す説明図。
【図９】３個のソースドライバでＶＧＡの液晶パネルを駆動する場合に余る電位出力端の配置例を示す説明図。
【発明を実施するための形態】
【００３１】
以下、本発明の実施形態を図面を参照して説明する。以下の各実施形態の説明では、ソースドライバが８０４個の電位出力端を備える場合を例にするとともに、そのソースドライバを３個用いてＶＧＡのＴＦＴ液晶パネルのソースラインの電位を設定する場合を例にする。ただし、ソースドライバの電位出力端の数は８０４個に限定されず、また、駆動対象となる液晶パネルの解像度は、ＶＧＡに限定されない。
【００３２】
［実施形態１］
図１は、本発明の第１の実施形態のソースドライバの例を示す説明図である。第１の実施形態のソースドライバ１０は、シフトレジスタ１と、ラッチ部５と、電位設定部７とを備える。また、図１では、液晶パネルの駆動に用いる３つのソースドライバのうち、１番左側のソースドライバを例示している。なお、この３つのソースドライバの構成はいずれも同様である。
【００３３】
シフトレジスタ１は、データ読み込み指示信号を出力するデータ読み込み指示信号出力部２を複数個備える。データ読み込み指示信号は、１画素分の画像データの読み込みを指示する信号である。また、画素は、１つのピクセルに含まれるＲ，Ｇ，Ｂの個々のサブピクセルを意味するものとする。すなわち、Ｒ，Ｇ，Ｂの３つの画素（サブピクセル）が１つのピクセルをなす。以下、サブピクセルを画素と記す。また、Ｒ，Ｇ，Ｂの画素をそれぞれ、単にＲ画素、Ｇ画素、Ｂ画素と記す。
【００３４】
画像データは、画素の画素値を表すデータである。
【００３５】
本実施形態では、シフトレジスタ１は、８０４個のデータ読み込み指示信号出力部２を備える。各データ読み込み指示信号出力部２は、シフトレジスタ１内で並べて配置される。
【００３６】
ラッチ部５は、シフトレジスタから１つのデータ読み込み指示信号が入力される毎に、１画素分の画像データを取り込み、その画像データを保持するデータ保持部６を複数個備える。本実施形態では、ラッチ部５は、８０４個のデータ保持部６を備える。なお、１つのデータ読み込み指示信号とは、例えば、１つのパルス信号である。
【００３７】
電位設定部７は、データ読み込み指示信号出力部２が出力したデータ読み込み信号に起因してラッチ部５のデータ保持部６が読み込んだ画像データに応じた電位の設定先として予め定められたソースラインに対して、その画像データに応じた電位を設定する電位出力端を複数個備える。本実施形態では、８０４個の電位出力端Ｄ１〜Ｄ８０４を備える。
【００３８】
データ読み込み指示信号出力部２と、データ保持部６と、電位設定部７における電位出力端とは、一対一に対応する。データ読み込み指示信号出力部２およびデータ保持部６に記載した番号は、視認側から見て左から何番目のデータ読み込み指示信号出力部２またはデータ保持部６であるかを示す。
【００３９】
また、本例において、本発明の液晶表示装置は、液晶パネルにソースドライバおよびゲートドライバが実装されている。液晶パネルは、マトリクス状に配置された画素電極（図示略）と、コモン電極（図示略）との間に液晶を挟持する。一般に、カラーフィルタはコモン電極に配置される。個々のソースラインは、１列分の画素電極にそれぞれＴＦＴを介して接続される。また、液晶パネルは、複数のゲートライン（図示略）を備え、個々のゲートラインは１行分の画素電極にそれぞれＴＦＴを介して接続される。本発明のソースドライバとともに用いられるゲートドライバは、ゲートラインを線順次に選択し、選択された行の画素電極は、ＴＦＴを介して、ソースライン（換言すれば、そのソースラインが接続された電位出力端）と等電位に設定される。この結果、液晶パネルに画像が表示される。
【００４０】
本実施形態では、８０４個の電位出力端を備えるソースドライバを３つ用いてＶＧＡの液晶パネルを駆動する。従って、左から３１９番目から４８０番目までの電位出力端Ｄ３１９〜Ｄ４８０には、ソースラインは接続されない。さらに、本発明のソースドライバは、図９に例示するように、余った電位出力端を左右の電位出力端に振り分けることが好ましいが、余った電位出力端を一方側に偏らせてもよい。本実施形態では、図９に例示するように、余った電位出力端を左右均等に振り分けた形態で説明する。図１では、液晶パネルの駆動に用いる３つのソースドライバのうち、１番左側のソースドライバを例示しているので、電位出力端Ｄ３１９〜Ｄ４８０の他に、左から３番目までの３つの電位出力端Ｄ１〜Ｄ３にもソースラインは接続されない。従って、左から４番目から３１８番目までの電位出力端Ｄ４〜Ｄ１３８、および左から４８１番目から８０４番目までの電位出力端Ｄ４８１〜Ｄ８０４にソースラインＳ１〜Ｓ６３９が接続される。なお、図１に示すソースラインＳ１〜Ｓ６３９は、ＶＧＡの液晶パネルのソースライン（１９２０本）のうちの一部である。
【００４１】
電位出力端に接続されたソースラインは、その電位出力端に対応するデータ保持部６が保持する画像データに応じた電位の設定先として予め定められたソースラインであると言うことができる。例えば、左から４番目のデータ読み込み指示信号出力部２と、左から４番目のデータ保持部６と、左から４番目の電位出力端Ｄ４とが一対一に対応し、その電位出力端には、左から１番目のソースラインＳ１が接続される。従って、左から４番目のデータ読み込み指示信号出力部２がデータ読み込み指示信号を出力すると、左から４番目のデータ保持部６がそのデータ読み込み指示信号に応じて一画素分の画像データを読み込む。そして、左から４番目の電位出力端Ｄ４が、その画像データに応じた電位を、ソースラインＳ１に設定する。このように、ソースラインＳ１は、左から４番目のデータ保持部６が保持する画像データに応じた電位の設定先として定められていることになる。他のソースラインに関しても同様である。
【００４２】
また、図１では、３つのソースドライバのうち、一番左側のソースドライバを図示しているが、左から二番目のソースドライバ（図示略）では、左から１番目から３１８番目までの電位出力端Ｄ１〜Ｄ１３８、および左から４８１番目から８０４番目までの電位出力端Ｄ４８１〜Ｄ８０４にソースラインが接続される。中央部の電位出力端Ｄ３１９〜Ｄ４８０には、ソースラインは接続されない。
【００４３】
また、一番右のソースドライバ（図示略）では、図９に示す場合と同様に、左から１番目から３１８番目までの電位出力端Ｄ１〜Ｄ１３８、および左から４８１番目から８０１番目までの電位出力端Ｄ４８１〜Ｄ８０１にソースラインが接続される。中央部の電位出力端Ｄ３１９〜Ｄ４８０には、ソースラインは接続されず、また、右から３番目までの３つの電位出力端Ｄ８０２〜Ｄ８０４にもソースラインは接続されない。
【００４４】
この結果、液晶パネルの１９２０本のソースラインは、３つのソースドライバ１０に接続される。
【００４５】
また、液晶パネルの画素列は、左側からＲの画素列、Ｇの画素列、Ｂの画素列の順に繰り返し並び、一番右側の画素列はＢの画素列となる。従って、液晶パネルの画素列の数は３の倍数であり、ソースラインの本数も３の倍数である。
【００４６】
このような画素列の並びに対応して、シフトレジスタ１内においても、Ｒ画素の画像データを読み込むデータ保持部６に対応するデータ読み込み指示信号出力部２、Ｇ画素の画像データを読み込むデータ保持部６に対応するデータ読み込み指示信号出力部２、およびＢ画素の画像データを読み込むデータ保持部６に対応するデータ読み込み指示信号出力部２が並べて配置される。従って、シフトレジスタ１内のデータ読み込み指示信号出力部２の数は３の倍数（本例では８０４個）である。以下、説明を簡単にするために、Ｒ画素の画像データを読み込むデータ保持部６に対応するデータ読み込み指示信号出力部２に関しては符号（Ｒ）を付す場合がある。同様に、Ｇ画素の画像データを読み込むデータ保持部６に対応するデータ読み込み指示信号出力部２に関しては符号（Ｇ）を付す場合がある。同様に、Ｂ画素の画像データを読み込むデータ保持部６に対応するデータ読み込み指示信号出力部２に関しては符号（Ｂ）を付す場合がある。
【００４７】
なお、ソースラインに接続させない電位出力端を定める場合、Ｒ，Ｇ，Ｂの組単位で定めるので、中央部分においてソースラインに接続させないと定める電位出力端Ｄ３１９〜Ｄ４８０の数は３の倍数（本例では１６２個）である。また、一番左側のソースドライバ１０の左側においてソースラインに接続されない電位出力端Ｄ１〜Ｄ３の数も３の倍数（本例では３個）である。同様に、一番右側のソースドライバ（図示略）の右側においてソースラインに接続されない電位出力端Ｄ８０２〜Ｄ８０４の数も３の倍数（本例では３個）である。
【００４８】
次に、シフトレジスタ１に関して詳細に説明する。ソースドライバは、タイミングコントローラ（図示略）の制御に従い、正スキャン、または逆スキャンで画像データを読み込む。タイミングコントローラは、例えば、ハイレベルまたはローレベルに切り替え可能なスキャン態様設定用信号をシフトレジスタに出力することにより、正スキャンとするか、逆スキャンとするかを制御する。スキャン態様設定用信号がハイレベルの時には、シフトレジスタ１が正スキャン時の動作を行い、スキャン態様設定用信号がローレベルの時には、シフトレジスタ１が逆スキャン時の動作を行うことで、正スキャン、逆スキャンを実現する。
【００４９】
また、タイミングコントローラは、スキャン態様設定用信号の他に、スタートパルスおよびクロック信号（以下、ＣＬＫと記す。）を出力する。スタートパルスは、シフトレジスタ１に対してデータ読み込み指示信号の出力開始を指示する信号である。図２は、スタートパルスおよびＣＬＫの例を示す説明図である。ＣＬＫの立ち下がりエッジから次の立ち下がりエッジまでがＣＬＫの周期である。タイミングコントローラは、正スキャンとする場合、一番左のソースドライバのシフトレジスタ１（具体的には、後述の第１スイッチ３）にスタートパルスを出力し、逆スキャンとする場合、一番右側のソースドライバのシフトレジスタ１（具体的には、後述の第２スイッチ４）にスタートパルスを出力する。また、タイミングコントローラは、３つのソースドライバのシフトレジスタ１に対してそれぞれＣＬＫを出力する。
【００５０】
タイミングコントローラは、スタートパルスの周期を、液晶パネルにおけるゲートラインの選択の切り替え周期と等しくする。また、スタートパルスがハイレベルになっている期間は、図２に示すように、ＣＬＫの周期より短い。そして、タイミングコントローラは、スタートパルスがハイレベルになっている期間と、ＣＬＫの立ち上がりエッジが重なるようにスタートパルスおよびＣＬＫを出力する。
【００５１】
一番左側または一番右側のソースドライバにおいて、スタートパルスは、データ読み込み指示信号出力部２（Ｒ）のうちの１つに入力される。データ読み込み指示信号出力部２は、ＣＬＫの立ち上がりエッジにおいてスタートパルスがハイレベルになると、次のＣＬＫの立ち上がりエッジでデータ読み込み指示信号を対応するデータ保持部６に出力するとともに、データ読み込み指示信号の出力の順番が回ってきたことを示す通知（以下、キャリー（carry ）信号と記す。）を他のデータ読み込み指示信号出力部２に送る。キャリー信号を受けたデータ読み込み指示信号出力部２も、次のＣＬＫの立ち上がりエッジでデータ読み込み指示信号を対応するデータ保持部６に出力するとともに、他のデータ読み込み指示信号出力部２にキャリー信号を送る。以降、同様に、キャリー信号を受けたデータ読み込み指示信号出力部２が、順次、データ読み込み指示信号を対応するデータ保持部６に出力する。この結果、ラッチ部５において、データ読み込み指示信号が入力されたデータ保持部６が、１画素分ずつ画像データを読み込み、保持する。従って、本実施形態のソースドライバは、シリアルに画像データを読み込む。
【００５２】
キャリー信号を送る順序は、正スキャン時と逆スキャン時とで異なる。図３は、第１の実施形態における正スキャン時のキャリー信号の送り順の例を示す説明図である。なお、以下の説明では、左からｉ番目のデータ読み込み指示信号出力部２に関して、ｉを添え字として付して、“データ読み込み指示信号出力部２ｉ”と記す。同様に、ラッチ部５における左からｉ番目のデータ保持部６に関しても、ｉを添え字として付して、データ保持部６ｉと記す。
【００５３】
正スキャンの場合（例えば、スキャン態様設定用信号がハイレベルの場合）、シフトレジスタ１内のデータ読み込み指示信号出力部２は、視認側から見て右隣のデータ読み込み指示信号出力部２にキャリー信号を送る。図３に示す例では、第１スイッチ３によりスタートパルスが左から４番目のデータ読み込み指示信号出力部２４（Ｒ）に入力された場合を示す。この場合、データ読み込み指示信号出力部２４（Ｒ）を起点として、視認側からみて右側のデータ読み込み指示信号出力部２に順次キャリー信号が送られる。
【００５４】
また、左から３１８番目のデータ読み込み指示信号出力部２３１８の右隣は、ソースラインに接続されない電位出力端Ｄ３１９に対応している。このような位置に該当する左から３１８番目のデータ読み込み指示信号出力部２３１８には、視認側から見て右隣のデータ読み込み指示信号出力部２３１９にキャリー信号を送るか、あるいは、視認側から見て右方向に位置し、ソースラインに接続された電位出力端に対応するデータ読み込み指示信号出力部２（Ｒ）の中で最も近いデータ読み込み指示信号出力部２（Ｒ）（本例では、左から４８１番目のデータ読み込み指示信号出力部２４８１（Ｒ））にキャリー信号を送るかを切り替えるスイッチ（図示略）が設けられる。本例では、このスイッチが、データ読み込み指示信号出力部２３１８からデータ読み込み指示信号出力部２４８１にキャリー信号を送るように設定されているものとする。この設定により、中央に連続して配置されるデータ読み込み指示信号出力部２３１９〜２４８０はデータ読み込み指示信号を出力しないことになる。また、上記のスイッチが、データ読み込み指示信号出力部２３１８からデータ読み込み指示信号出力部２３１９にキャリー信号を送るように設定されていれば、中央のデータ読み込み指示信号出力部２３１９〜２４８０はデータ読み込み指示信号を順次、出力することになる。
【００５５】
データ読み込み指示信号出力部２４８１以降の各データ読み込み指示信号出力部２はそれぞれ、視認側から見て右隣のデータ読み込み指示信号出力部２にキャリー信号を送る。
【００５６】
従って、キャリー信号は、データ読み込み指示信号出力部２４（Ｒ），２５（Ｇ），２６（Ｂ），・・・，２３１８（Ｂ），２４８１（Ｒ），２４８２（Ｇ），２４８３（Ｂ），・・・２８０２（Ｒ），２８０３（Ｇ），２８０４（Ｂ）の順に送られる。
【００５７】
なお、シフトレジスタ内で最後にキャリー信号を受け取るデータ読み込み指示信号出力部２８０４（Ｂ）は、視認側から見て右隣のソースドライバのシフトレジスタ１（具体的には、第１スイッチ３）にキャリー信号を送る。左隣のソースドライバから第１スイッチ３を介してキャリー信号を受けたデータ読み込み指示信号出力部２の動作も上記と同様である。
【００５８】
上記のように、データ読み込み指示信号出力部２（Ｒ）を起点として、データ読み込み指示信号出力部２（Ｒ），２（Ｇ），２（Ｂ）の順にキャリー信号は送られていく。この点は、次に説明する逆スキャンの場合も同様である。
【００５９】
図４は、第１の実施形態における逆スキャン時のキャリー信号の送り順の例を示す説明図である。図４では、３つのソースドライバのうち、一番右側に配置されたソースドライバのシフトレジスタ１を例にして説明する。逆スキャンの場合（例えば、スキャン態様設定用信号がローレベルの場合）、データ読み込み指示信号出力部２（Ｒ），２（Ｇ），２（Ｂ）のグループ内におけるデータ読み込み指示信号出力部２（Ｒ）を起点として、データ読み込み指示信号出力部２（Ｒ），２（Ｇ），２（Ｂ）の順にキャリー信号を送る。すなわち、このグループ内では、データ読み込み指示信号出力部２（Ｒ），２（Ｇ）は、視認側から見て右隣のデータ読み込み指示信号出力部２にキャリー信号を送る。そして、データ読み込み指示信号出力部２（Ｂ）は、そのグループの左隣のデータ読み込み指示信号出力部２（Ｒ），２（Ｇ），２（Ｂ）のグループ内におけるデータ読み込み指示信号出力部２（Ｒ）にキャリー信号を送る。以降、同様の順にキャリー信号を送る。図４に示す例では、第２スイッチ４によりスタートパルスがデータ読み込み指示信号出力部２７９９（Ｒ）に入力された場合を示す。この場合、データ読み込み指示信号出力部２７９９（Ｒ），２８００（Ｇ），２８０１（Ｂ），２７９６（Ｒ），２７９７（Ｇ），２７９８（Ｂ），・・・の順にキャリー信号が送られる。
【００６０】
また、左から４８１番目のデータ読み込み指示信号出力部２４８１（Ｒ）を起点とするグループ（データ読み込み指示信号出力部２４８１（Ｒ），２４８２（Ｇ），２４８３（Ｂ））の左隣のグループは、ソースラインに接続されていない電位出力端に対応する。このような位置に該当するグループにおけるＢ画素に対応するデータ読み込み指示信号出力部２４８３（Ｂ）には、視認側から見て左隣のグループにおけるＲに対応するデータ読み込み指示信号出力部２４７８（Ｒ）にキャリー信号を送るか、あるいは、視認側から見て左方向に位置し、ソースラインに接続された電位出力端に対応するデータ読み込み指示信号出力部２（Ｒ）の中で最も近いデータ読み込み指示信号出力部２（Ｒ）（本例では、左から３１６番目のデータ読み込み指示信号出力部２３１６（Ｒ））にキャリー信号を送るかを切り替えるスイッチ（図示略）が設けられる。本例では、このスイッチが、データ読み込み指示信号出力部２４８３（Ｂ）から、データ読み込み指示信号出力部２３１６（Ｒ）にキャリー信号を送るように設定されているものとする。この設定により、中央に連続して配置されるデータ読み込み指示信号出力部２３１９〜２４８０はデータ読み込み指示信号を出力しないことになる。また、上記のスイッチが、データ読み込み指示信号出力部２４８３（Ｂ）から、データ読み込み指示信号出力部２４７８（Ｒ）にキャリー信号を送るように設定されていれば、中央のデータ読み込み指示信号出力部２３１９〜２４８０はデータ読み込み指示信号を出力することになる。
【００６１】
データ読み込み指示信号出力部２３１６（Ｒ）以降においても、グループ内ではデータ読み込み指示信号出力部２（Ｒ），２（Ｇ），２（Ｂ）の順にキャリー信号を送り、データ読み込み指示信号出力部２（Ｂ）は、その左隣のグループ内におけるデータ読み込み指示信号出力部２（Ｒ）にキャリー信号を送る。
【００６２】
従って、キャリー信号は、データ読み込み指示信号出力部２７９９（Ｒ），２８００（Ｇ），２８０１（Ｂ），２７９６（Ｒ），２７９７（Ｇ），２７９８（Ｂ），・・・，２４８１（Ｒ），２４８２（Ｇ），２４８３（Ｂ），２３１６（Ｒ），２３１７（Ｇ），２３１８（Ｂ），２３１３（Ｒ），・・・，２６（Ｂ），２１（Ｒ），２２（Ｇ），２３（Ｂ）の順に送られる。
【００６３】
なお、シフトレジスタ内で最後にキャリー信号を受け取るデータ読み込み指示信号出力部２３（Ｂ）は、視認側から見て左隣のソースドライバのシフトレジスタ１（具体的には、第２スイッチ４）にキャリー信号を送る。右隣のソースドライバから第２スイッチ４を介してキャリー信号を受けたデータ読み込み指示信号出力部２の動作も上記と同様である。
【００６４】
次に、第１スイッチ３および第２スイッチ４について説明する。第１スイッチ３および第２スイッチ４は、例えば、シフトレジスタ１内に設けられる。
【００６５】
第１の実施形態において、ｋを１以上の整数のうちの１つとする。同様に、ｊを１以上の整数のうちの１つとする。また、１つのソースドライバのシフトレジスタ１内のデータ読み込み指示信号出力部２の数をｎとする。本実施形態ではｎ＝８０４である。
【００６６】
第１スイッチ３は、正スキャン時にタイミングコントローラから入力されたスタートパルス、あるいは視認側から見て左隣のソースドライバから入力されたキャリー信号（以下、両者をまとめて「スタートパルス等」と記す。）を、どのデータ読み込み指示信号出力部２に入力させるかを切り替え可能なスイッチである。
【００６７】
具体的には、第１スイッチ３は、少なくとも、スタートパルス等を一番左側のデータ読み込み指示信号出力部２１（Ｒ）に入力させるのか、または左から３・ｋ＋１番目のデータ読み込み指示信号出力部２３・ｋ＋１（Ｒ）に入力させるのかを切り替え可能なスイッチである。なお、左から３・ｋ＋１番目のデータ読み込み指示信号出力部２は、いずれもＲ画素に対応する。このため、ラッチ部５は、Ｒの画像データから、Ｒ，Ｇ，Ｂの順に繰り返し読み込むことになる。
【００６８】
本実施形態では、一番左側のソースドライバにおいて、左から４番目のデータ読み込み指示信号出力部２４（Ｒ）にスタートパルスを入力させるか否かを切り替え可能とするため、ｋ＝１とする。このとき、３・ｋ＋１＝４である。従って、第１スイッチ３は、少なくとも、スタートパルス等を、データ読み込み指示信号出力部２１（Ｒ）に入力させるか、あるいは、データ読み込み指示信号出力部２４（Ｒ）に入力させるかを切り替え可能なスイッチである。
【００６９】
本例では、液晶パネルの解像度がＶＧＡである場合を例にしているので、ｋ＝１としたが、液晶パネルの解像度がＷＶＧＡ、ＳＷＶＧＡ等の場合には、スタートパルスを入力させない左側のデータ読み込み指示信号出力部２の個数に応じてｋを定めればよい。
【００７０】
また、本例において、ＶＧＡ以外の液晶パネルにも適用できるように、第１スイッチ３は、データ読み込み指示信号出力部２１（Ｒ），２４（Ｒ）の他に、他のデータ読み込み指示信号出力部２（Ｒ）にもスタートパルス等を入力するように切り替え可能であってもよい。
【００７１】
本実施形態では、３つのソースドライバのうち、視認側から見て一番左のソースドライバの第１スイッチ３は、データ読み込み指示信号出力部２４（Ｒ）にスタートパルス等を入力するように切り替えられる。残りの２つのソースドライバの第１スイッチ３は、データ読み込み指示信号出力部２１（Ｒ）にスタートパルス等を入力するように設定する。
【００７２】
第２スイッチ４は、逆スキャン時にタイミングコントローラから入力されたスタートパルス、あるいは視認側から見て右隣のソースドライバから入力されたキャリー信号（すなわち、スタートパルス等）を、どのデータ読み込み指示信号出力部２に入力させるかを切り替え可能なスイッチである。
【００７３】
具体的には、第２スイッチ４は、少なくとも、スタートパルス等を左からｎ−２番目のデータ読み込み指示信号出力部２ｎ−２（Ｒ）に入力させるのか、または、左からｎ−３・（ｊ＋１）＋１番目のデータ読み込み指示信号出力部２ｎ−３・（ｊ＋１）＋１（Ｒ）に入力させるのかを切り替え可能なスイッチである。なお、左からｎ−３・（ｊ＋１）＋１番目のデータ読み込み指示信号出力部２は、いずれもＲ画素に対応する。従って、ラッチ部５は、Ｒ画素の画像データから、Ｒ，Ｇ，Ｂの順に繰り返し読み込むことになる。
【００７４】
本実施形態では、一番右側のソースドライバにおいて、右から６番目のデータ読み込み指示信号出力部２７９９にスタートパルスを入力させるか否かを切り替え可能とするため、ｊ＝１とする。このとき、ｎ−３・（ｊ＋１）＋１＝７９９である。従って、第２スイッチ４は、少なくとも、スタートパルス等を、データ読み込み指示信号出力部２８０２（Ｒ）に入力させるか、あるいは、データ読み込み指示信号出力部２７９９（Ｒ）に入力させるかを切り替え可能なスイッチである。
【００７５】
本例では、液晶パネルの解像度がＶＧＡである場合を例にしているので、ｊ＝１としたが、液晶パネルの解像度がＷＶＧＡ、ＳＷＶＧＡ等の場合には、スタートパルスを入力させない右側のデータ読み込み指示信号出力部２の個数に応じてｊを定めればよい。
【００７６】
また、本例において、ＶＧＡ以外の液晶パネルにも適用できるように、第２スイッチ４は、データ読み込み指示信号出力部２８０２（Ｒ），２７９９（Ｒ）の他に、他のデータ読み込み指示信号出力部２（Ｒ）にもスタートパルス等を入力するように切り替え可能であってもよい。
【００７７】
本実施形態では、３つのソースドライバのうち、視認側から見て一番右のソースドライバの第２スイッチ４は、データ読み込み指示信号出力部２７９９（Ｒ）にスタートパルス等を入力するように切り替えられる。残りの２つのソースドライバの第２スイッチ４は、データ読み込み指示信号出力部２８０２（Ｒ）にスタートパルス等を入力するように設定する。
【００７８】
電位設定部７は、ラッチ部５のデータ保持部６が読み込んで保持している画像データをまとめて読み込み、その画像データに対してレベルシフトを行い、レベルシフト後の画像データに対してＤ−Ａ変換を行う。このＤ−Ａ変換により、画像データに応じた電位が得られる。電位設定部７は、このＤ−Ａ変換後の電位を、ボルテージフォロワを介して出力する。このボルテージフォロワの出力端が、ソースドライバの電位出力端Ｄ１〜Ｄ８０４（図１参照）に該当する。
【００７９】
ただし、左から３１９番目から４８０番目までの各データ保持部６には、データ読み込み指示信号が入力されないので、画像データが保持されない。よって、これらのデータ保持部６に関しては、電位設定部７は、画像データの読み込み、レベルシフト、Ｄ−Ａ変換を行わない。あるいは、Ｄ−Ａ変換を行っても変換後の出力はＬｏｗとする。また、電位設定部７は、これらのデータ保持部６に対応する電位出力端Ｄ３１９〜Ｄ４８０の状態を、ハイインピーダンス状態としてもよい。
【００８０】
また、３つのソースドライバのうち、一番左のソースドライバにおける左から３番目までのデータ保持部６に関しても、そのソースドライバの電位設定部７は、画像データの読み込み、レベルシフト、Ｄ−Ａ変換を行わない。あるいは、Ｄ−Ａ変換を行っても変換後の出力はＬｏｗとする。そして、その電位設定部７は、これらのデータ保持部６に対応する電位出力端Ｄ１〜Ｄ３の状態を、ハイインピーダンス状態としてもよい。
【００８１】
同様に、３つのソースドライバのうち、一番右のソースドライバにおける右から３番目までのデータ保持部６に関しても、そのソースドライバの電位設定部７は、画像データの読み込み、レベルシフト、Ｄ−Ａ変換を行わない。あるいは、Ｄ−Ａ変換を行っても変換後の出力はＬｏｗとする。そして、その電位設定部７は、これらのデータ保持部６に対応する電位出力端Ｄ８０２〜Ｄ８０４の状態を、ハイインピーダンス状態としてもよい。
【００８２】
次に、動作について説明する。
まず、正スキャン時の動作について説明する。既に説明したように、視認側から見て一番左のソースドライバの第１スイッチ３は、データ読み込み指示信号出力部２４（Ｒ）にスタートパルス等を入力するように切り替えられている。また、残りの２つのソースドライバの第１スイッチ３は、データ読み込み指示信号出力部２１（Ｒ）にスタートパルス等を入力するように切り替えられている。また、タイミングコントローラ（図示略）は、スキャン態様設定用信号をハイレベルに維持して、各ソースドライバのシフトレジスタ１に出力しているものとする。
【００８３】
タイミングコントローラ（図示略）は、図２に例示するＣＬＫを、各ソースドライバのシフトレジスタ１に出力する。また、視認側から見て一番左のソースドライバの第１スイッチ３には、液晶パネルにおけるゲートラインの選択の切り替え周期と等しい周期で、スタートパルスを出力する。タイミングコントローラがスタートパルスを出力すると、スタートパルスの１周期の間に、各ソースドライバのシフトレジスタ１およびラッチ部５は、以下のように動作する。
【００８４】
一番左のソースドライバの第１スイッチ３は、タイミングコントローラから入力されたスタートパルスをデータ読み込み指示信号出力部２４（Ｒ）に入力する。データ読み込み指示信号出力部２４（Ｒ）は、ＣＬＫの立ち上がりエッジにおいてスタートパルスがハイレベルになると、次のＣＬＫの立ち上がりエッジでデータ読み込み指示信号を対応するデータ保持部６４に出力する。従って、データ保持部６４は、Ｒ画素の画像データを読み込み、保持する。また、データ読み込み指示信号出力部２４（Ｒ）は、キャリー信号を次のデータ読み込み指示信号出力部２５（Ｇ）に送る。キャリー信号を受けたデータ読み込み指示信号出力部２５（Ｇ）は、次のＣＬＫの立ち上がりエッジでデータ読み込み指示信号を対応するデータ保持部６５に出力する。従って、データ保持部６５は、Ｇ画素の画像データを読み込み、保持する。そして、データ読み込み指示信号出力部２５（Ｇ）は、キャリー信号を次のデータ読み込み指示信号出力部２６（Ｂ）に送る。以降、同様の動作を繰り返す。
【００８５】
正スキャン時のキャリー信号の送り順は、既に説明したように、データ読み込み指示信号出力部２４（Ｒ），２５（Ｇ），２６（Ｂ），・・・，２３１８（Ｂ），２４８１（Ｒ），２４８２（Ｇ），２４８３（Ｂ），・・・２８０２（Ｒ），２８０３（Ｇ），２８０４（Ｂ）の順である。従って、ラッチ部５におけるデータ保持部６４〜６３１８およびデータ保持部６４８１〜６８０４が画像データを読み込み、保持する。
【００８６】
また、一番左側のソースドライバにおけるデータ読み込み指示信号出力部２８０４（Ｂ）は、左から２番目のソースドライバの第１スイッチ３にキャリー信号を送る。左から２番目のソースドライバにおいて、このキャリー信号は、第１スイッチ３を介して、データ読み込み指示信号出力部２１（Ｒ）に入力される。以降の動作は、データ読み込み指示信号出力部２１（Ｒ）を起点とする他は、一番左側のソースドライバと同様である。従って、左から２番目のソースドライバでは、データ読み込み指示信号出力部２１（Ｒ），２２（Ｇ），２３（Ｂ），・・・，２３１８（Ｂ），２４８１（Ｒ），２４８２（Ｇ），２４８３（Ｂ），・・・２８０２（Ｒ），２８０３（Ｇ），２８０４（Ｂ）の順にキャリー信号が送られる。その結果、ラッチ部５におけるデータ保持部６１〜６３１８およびデータ保持部６４８１〜６８０４が画像データを読み込み、保持する。
【００８７】
また、左から２番目のソースドライバにおけるデータ読み込み指示信号出力部２８０４（Ｂ）は、一番右側のソースドライバの第１スイッチ３にキャリー信号を送る。一番右側のソースドライバにおいて、このキャリー信号は、第１スイッチ３を介して、データ読み込み指示信号出力部２１（Ｒ）に入力される。従って、一番右側のソースドライバの動作は、左から２番目のソースドライバの動作と同様である。ただし、ＶＧＡの液晶パネルにおける左から１９２０番目の画素（１行における右端の画素）の画像データは、データ保持部６８０１に読み込まれ、データ保持部６８０２〜６８０４は、データを読み込まない。
【００８８】
３つのソースドライバのシフトレジスタ１およびラッチ部５は、スタートパルスの周期内で、以上の動作を完了する。この結果、液晶パネルの１行分に相当する１９２０個の画像データが、３つのソースドライバのラッチ部５に記憶される。
【００８９】
各ソースドライバの電位設定部７は、次のスタートパルス前のデータ読み込み指示信号を検出すると、ラッチ部５に保持されている画像データを読み込み、その画像データに対してレベルシフトを行い、レベルシフト後の画像データに対してＤ−Ａ変換を行う。そして、Ｄ−Ａ変換後の電位（画像データに応じた電位）を、ボルテージフォロワを介して、電位出力端から出力する。画像データを保持していたデータ保持部６に対応する電位出力端には、ソースラインが接続されている。従って、１９２０本の各ソースラインには、１９２０個の画像データに応じた電位がそれぞれ設定される。
【００９０】
各ソースドライバは、スタートパルスの周期毎に同様の動作を繰り返す。すなわち、スタートパルスの１周期で、１行分の画像データを読み込み、次の周期のスタートパルスの発行前のデータ読み込み指示信号を検出すると、その画像データに応じた電位をソースラインに設定する。
【００９１】
次に、逆スキャン時の動作について説明する。既に説明したように、視認側から見て一番右のソースドライバの第２スイッチ４は、データ読み込み指示信号出力部２７９９（Ｒ）にスタートパルス等を入力するように切り替えられている。残りの２つのソースドライバの第２スイッチ４は、データ読み込み指示信号出力部２８０２（Ｒ）にスタートパルス等を入力するように切り替えられている。また、タイミングコントローラ（図示略）は、スキャン態様設定用信号をローレベルに維持して、各ソースドライバのシフトレジスタ１に出力しているものとする。
【００９２】
タイミングコントローラ（図示略）は、図２に例示するＣＬＫを、各ソースドライバのシフトレジスタ１に出力する。また、視認側から見て一番右のソースドライバの第２スイッチ４には、液晶パネルにおけるゲートラインの選択の切り替え周期と等しい周期で、スタートパルスを出力する。タイミングコントローラがスタートパルスを出力すると、スタートパルスの１周期の間に、各ソースドライバのシフトレジスタ１およびラッチ部５は、以下のように動作する。
【００９３】
１番右のソースドライバの第２スイッチ４は、タイミングコントローラから入力されたスタートパルスをデータ読み込み指示信号出力部２７９９（Ｒ）に入力する。データ読み込み指示信号出力部２７９９（Ｒ）は、ＣＬＫの立ち上がりエッジにおいてスタートパルスがハイレベルになると、次のＣＬＫの立ち上がりエッジでデータ読み込み指示信号を対応するデータ保持部６７９９に出力する。従って、データ保持部６７９９は、Ｒ画素の画像データを読み込み、保持する。また、データ読み込み指示信号出力部２７９９（Ｒ）は、キャリー信号を次のデータ読み込み指示信号出力部２８００（Ｇ）に送る。キャリー信号を受けたデータ読み込み指示信号出力部２８００（Ｇ）は、次のＣＬＫの立ち上がりエッジでデータ読み込み指示信号を対応するデータ保持部６８００に出力する。従って、データ保持部６８００は、Ｇ画素の画像データを読み込み、保持する。そして、データ読み込み指示信号出力部２８００（Ｇ）は、キャリー信号を次のデータ読み込み指示信号出力部２８０１（Ｂ）に送る。以降、同様の動作を繰り返す。
【００９４】
逆スキャン時のキャリー信号の送り順は、既に説明したように、データ読み込み指示信号出力部２７９９（Ｒ），２８００（Ｇ），２８０１（Ｂ），２７９６（Ｒ），２７９７（Ｇ），２７９８（Ｂ），・・・，２４８１（Ｒ），２４８２（Ｇ），２４８３（Ｂ），２３１６（Ｒ），２３１７（Ｇ），２３１８（Ｂ），２３１３（Ｒ），・・・，２６（Ｂ），２１（Ｒ），２２（Ｇ），２３（Ｂ）の順である。従って、従って、ラッチ部５におけるデータ保持部６１〜６３１８およびデータ保持部６４８１〜６８０１が画像データを読み込み、保持する。
【００９５】
また、一番右側のソースドライバにおけるデータ読み込み指示信号出力部２８０４（Ｂ）は、左から２番目のソースドライバの第２スイッチ４にキャリー信号を送る。左から２番目のソースドライバにおいて、このキャリー信号は、第２スイッチ４を介して、データ読み込み指示信号出力部２８０２（Ｒ）に入力される。以降の動作は、データ読み込み指示信号出力部２８０２（Ｒ）を起点とする他は、一番右側のソースドライバと同様である。従って、左から２番目のソースドライバでは、データ読み込み指示信号出力部２８０２（Ｒ），２８０３（Ｇ），２８０４（Ｂ），２７９９（Ｒ），２８００（Ｇ），２８０１（Ｂ），２７９６（Ｒ），２７９７（Ｇ），２７９８（Ｂ），・・・，２４８１（Ｒ），２４８２（Ｇ），２４８３（Ｂ），２３１６（Ｒ），２３１７（Ｇ），２３１８（Ｂ），２３１３（Ｒ），・・・，２６（Ｂ），２１（Ｒ），２２（Ｇ），２３（Ｂ）の順にキャリー信号が送られる。その結果、ラッチ部５におけるデータ保持部６１〜６３１８およびデータ保持部６４８１〜６８０４が画像データを読み込み、保持する。
【００９６】
また、左から２番目のソースドライバにおけるデータ読み込み指示信号出力部２３（Ｂ）は、一番左側のソースドライバの第２スイッチ４にキャリー信号を送る。一番左側のソースドライバにおいて、このキャリー信号は、第２スイッチ４を介して、データ読み込み指示信号出力部２８０２（Ｒ）に入力される。従って、一番左側のソースドライバの動作は、左から２番目のソースドライバの動作と同様である。ただし、ＶＧＡの液晶パネルにおける右から１９２０番目の画素（１行における左端の画素）の画像データは、データ保持部６４に読み込まれ、データ保持部６１〜６３は、データを読み込まない。
【００９７】
３つのソースドライバのシフトレジスタ１およびラッチ部５は、スタートパルスの周期内で、以上の動作を完了する。この結果、液晶パネルの１行分に相当する１９２０個の画像データが、３つのソースドライバのラッチ部５に記憶される。
【００９８】
各ソースドライバの電位設定部７の動作は正スキャン時と同様である。すなわち、各ソースドライバの電位設定部７は、次のスタートパルス前のデータ読み込み指示信号を検出すると、ラッチ部５に保持されている画像データを読み込み、その画像データに対してレベルシフトを行い、レベルシフト後の画像データに対してＤ−Ａ変換を行う。そして、Ｄ−Ａ変換後の電位（画像データに応じた電位）を、ボルテージフォロワを介して、電位出力端から出力する。画像データを保持していたデータ保持部６に対応する電位出力端には、ソースラインが接続されている。従って、１９２０本の各ソースラインには、１９２０個の画像データに応じた電位がそれぞれ設定される。
【００９９】
各ソースドライバは、スタートパルスの周期毎に同様の動作を繰り返す。すなわち、スタートパルスの１周期で、１行分の画像データを読み込み、次のスタートパルス前のデータ読み込み指示信号を検出すると、その画像データに応じた電位をソースラインに設定する。
【０１００】
本実施形態によれば、第１スイッチ３および第２スイッチ４を備えている。従って、正スキャン時には第１スイッチ３に入力されたスタートパルスをデータ読み込み指示信号出力部２４（Ｒ）に直接入力することができる。また、逆スキャン時には第２スイッチ４に入力されたスタートパルスをデータ読み込み指示信号出力部２７９９（Ｒ）に直接入力することができる。従って、一番左側のソースドライバにおける左側の電位出力端や、一番右側のソースドライバにおける右側の電位出力端がソースラインに接続されなくても、ソースドライバは、スタートパルスの入力後、ダミーデータなしで、直接、実際の画像データの読み込みを開始することができる。
【０１０１】
また、中央に連続して配置されるデータ読み込み指示信号出力部３１９〜４８０からデータ読み込み指示信号を出力するか否かを切り替えることができるので、本実施形態のソースドライバの適用範囲を広げることができる。例えば、ＷＶＧＡの液晶パネルを３個のソースドライバで駆動する液晶表示装置にも適用できる。さらに１個のソースドライバで駆動する液晶表示装置にも適用できる。この場合、ソースドライバの左側から１本目の電位出力端および／またはソースドライバの右側から１本目の電位出力端が液晶パネルのソースラインに接続されない。
【０１０２】
さらに、上記実施形態では、ソースドライバの両端に２つのスイッチを配置したが、一端側に１つのスイッチを配置してもよい。
【０１０３】
［実施形態２］
図５は、本発明の第２の実施形態のソースドライバの例を示す説明図である。第２の実施形態のソースドライバ３０は、シフトレジスタ３１と、ラッチ部１５と、電位設定部７とを備える。また、図５では、液晶パネルの駆動に用いる３つのソースドライバのうち、１番左側のソースドライバを例示している。なお、この３つのソースドライバの構成はいずれも同様である。
【０１０４】
シフトレジスタ３１は、データ読み込み指示信号を出力するデータ読み込み指示信号出力部３２を複数個備える。本実施形態では、シフトレジスタ３１は、２６８個のデータ読み込み指示信号出力部３２を備える。データ読み込み指示信号出力部３２の個数は、電位設定部７の電位出力端の数の１／３である。各データ読み込み指示信号出力部３２は、シフトレジスタ３１内で並べて配置される。
【０１０５】
本実施形態におけるデータ読み込み指示信号出力部３２は、３つのラッチ部（後述のＲ用ラッチ部１５Ｒ、Ｇ用ラッチ部１５Ｇ、Ｂ用ラッチ部１５Ｂ）にデータ読み込み指示信号を出力する。データ読み込み指示信号は同一のものであってもよいし、３つの信号であってもよい。
【０１０６】
ラッチ部１５は、Ｒ用ラッチ部１５Ｒと、Ｇ用ラッチ部１５Ｇと、Ｂ用ラッチ部１５Ｂとを含む。Ｒ用ラッチ部１５Ｒ、Ｇ用ラッチ部１５Ｇ、およびＢ用ラッチ部１５Ｂは、それぞれ第１の実施形態におけるデータ保持部６と同様のデータ保持部６（図５において図示略）を備える。データ保持部６は、１つのデータ読み込み指示信号が入力される毎に、１画素分の画像データを取り込み、その画像データを保持する。このとき、Ｒ用ラッチ部１５Ｒのデータ保持部６は、Ｒ画素１画素分の画像データを取り込む。Ｇ用ラッチ部１５Ｇは、Ｇ画素１画素分の画像データを取り込む。Ｂ用ラッチ部１５Ｂは、Ｂ画素１画素分の画像データを取り込む。
【０１０７】
また、Ｒ用ラッチ部１５Ｒが備えるデータ保持部６の数、Ｇ用ラッチ部１５Ｇが備えるデータ保持部６の数、およびＢ用ラッチ部１５Ｂが備えるデータ保持部６の数はそれぞれ、データ読み込み指示信号出力部３２の個数と同数の２６８個である。
【０１０８】
以下、説明を簡単にするために、Ｒ用ラッチ部１５Ｒが備えるデータ保持部６のうち、左からｉ番目のデータ保持部を符号“６ｉ（Ｒ）”で表す。同様に、Ｇ用ラッチ部１５Ｇが備えるデータ保持部６のうち、左からｉ番目のデータ保持部を符号“６ｉ（Ｇ）”で表す。Ｂ用ラッチ部１５Ｂが備えるデータ保持部６のうち、左からｉ番目のデータ保持部を符号“６ｉ（Ｂ）”で表す。
【０１０９】
電位設定部７は、Ｒ用ラッチ部１５Ｒ、Ｇ用ラッチ部１５Ｇ、およびＢ用ラッチ部１５Ｂが保持した液晶パネル１行分の画素の画像データ（１９２０画素分の画像データ）を読み込む。その他の点に関しては、第１の実施形態における電位設定部７と同様である。
【０１１０】
Ｒ用ラッチ部１５Ｒ、Ｇ用ラッチ部１５Ｇ、およびＢ用ラッチ部１５Ｂが備える各データ保持部６（図５において図示略）と、電位設定部７における電位出力端とは、一対一に対応する。具体的には、Ｒ用ラッチ部１５Ｒにおける左からｉ番目のデータ保持部６ｉ（Ｒ）は、電位出力端Ｄ３・ｉ−２に対応する。すなわち、電位設定部７は、データ保持部６ｉ（Ｒ）に記憶された画像データに応じた電位を電位出力端Ｄ３・ｉ−２から出力する。同様に、Ｇ用ラッチ部１５Ｇにおける左からｉ番目のデータ保持部６ｉ（Ｇ）は、電位出力端Ｄ３・ｉ−１に対応する。同様に、Ｂ用ラッチ部１５Ｂにおける左からｉ番目のデータ保持部６ｉ（Ｂ）は、電位出力端Ｄ３・ｉに対応する。
【０１１１】
また、前述のように、データ読み込み指示信号出力部３２は、同時に３つのデータ読み込み指示信号を出力する。具体的には、視認側から見て左からｉ番目のデータ読み込み指示信号出力部３２は、データ保持部６ｉ（Ｒ）、データ保持部６ｉ（Ｇ）、およびデータ保持部６ｉ（Ｂ）に対して、同時に１つずつデータ読み込み指示信号を出力する。従って、左からｉ番目のデータ読み込み指示信号出力部３２と、データ保持部６ｉ（Ｒ）、データ保持部６ｉ（Ｇ）、およびデータ保持部６ｉ（Ｂ）とが対応する。
【０１１２】
３つのソースドライバ３０によって駆動される液晶パネルは、第１の実施形態における液晶パネルと同様であり、説明を省略する。本実施形態においてもソースラインの本数は、３の倍数である。また、３つのソースドライバにおける各電位出力端のうち、液晶パネルの１９２０本のソースラインが接続される電位出力端に関しても第１の実施形態と同様であり、説明を省略する。
【０１１３】
次に、シフトレジスタ３１に関して詳細に説明する。ソースドライバ３０は、タイミングコントローラ（図示略）の制御に従い、正スキャンまたは逆スキャンで画像データを読み込む。例えば、タイミングコントローラから入力されるスキャン態様設定用信号がハイレベルの時には、シフトレジスタ３１は、正スキャン時の動作を行う。また、スキャン態様設定用信号がローレベルの時には、シフトレジスタ３１は、逆スキャン時の動作を行う。
【０１１４】
また、タイミングコントローラは、スキャン態様設定用信号の他に、スタートパルスおよびクロック信号（ＣＬＫ）を出力する。タイミングコントローラによるスタートパルスおよびＣＬＫの出力態様は第１の実施形態と同様であり、説明を省略する。
【０１１５】
一番左側または一番右側のソースドライバにおいて、スタートパルスは、データ読み込み指示信号出力部３２のうちの１つに入力される。データ読み込み指示信号出力部３２は、ＣＬＫの立ち上がりエッジにおいてスタートパルスがハイレベルになると、次のＣＬＫの立ち上がりエッジで、同時に３つのデータ読み込み指示信号を出力する場合について説明する。具体的には、Ｒ用ラッチ部１５Ｒ内の対応するデータ保持部６（図５において図示略）、Ｇ用ラッチ部１５Ｇ内の対応するデータ保持部６（図５において図示略）、およびＢ用ラッチ部１５Ｂ内の対応するデータ保持部６（図５において図示略）に対して、それぞれ１つずつデータ読み込み指示信号を出力する。また、そのデータ読み込み指示信号出力部３２は、データ読み込み指示信号の出力とともに、キャリー信号を次のデータ読み込み指示信号出力部３２に送る。
【０１１６】
キャリー信号を受けたデータ読み込み指示信号出力部３２も、次のＣＬＫの立ち上がりエッジで、Ｒ用ラッチ部１５Ｒ、Ｇ用ラッチ部１５Ｇ、およびＢ用ラッチ部１５Ｂに対して同様にデータ読み込み指示信号を出力するとともに、他のデータ読み込み指示信号出力部３２にキャリー信号を送る。以降、同様に、キャリー信号を受けたデータ読み込み指示信号出力部３２が、順次、Ｒ用ラッチ部１５Ｒ、Ｇ用ラッチ部１５Ｇ、およびＢ用ラッチ部１５Ｂに対してデータ読み込み指示信号を出力する。
【０１１７】
この結果、Ｒ用ラッチ部１５Ｒ、Ｇ用ラッチ部１５Ｇ、およびＢ用ラッチ部１５Ｂが、それぞれ１画素分ずつ、画像データを読み込み、保持する。換言すれば、ラッチ部１５は、Ｒ画素、Ｇ画素およびＢ画素の３画素分の画像データを読み込み、保持する。
【０１１８】
キャリー信号を送る順序は、正スキャン時と逆スキャン時とで異なる。図６は、第２の実施形態における正スキャン時のキャリー信号の送り順の例を示す説明図である。なお、以下の説明では、左からｉ番目のデータ読み込み指示信号出力部３２に関して、ｉを添え字として付して、“データ読み込み指示信号出力部３２ｉ”と記す。
【０１１９】
正スキャンの場合（例えば、スキャン態様設定用信号がハイレベルの場合）、シフトレジスタ３１内のデータ読み込み指示信号出力部３２は、視認側から見て右隣のデータ読み込み指示信号出力部３２にキャリー信号を送る。図６に示す例では、第１スイッチ３によりスタートパルスが左から２番目のデータ読み込み指示信号出力部３２２に入力された場合を示す。この場合、データ読み込み指示信号出力部３２２を起点として、視認側からみて右側のデータ読み込み指示信号出力部３２に順次キャリー信号が送られる。
【０１２０】
また、左から１０６番目のデータ読み込み指示信号出力部３２１０６の右隣は、ソースラインに接続されない電位出力端Ｄ３１９〜Ｄ３２１に対応している。このような位置に該当する左から１０６番目のデータ読み込み指示信号出力部３２１０６には、視認側から見て右隣のデータ読み込み指示信号出力部３２１０７にキャリー信号を送るか、あるいは、視認側から見て右方向に位置し、ソースラインに接続された電位出力端に対応するデータ読み込み指示信号出力部３２の中で最も近いデータ読み込み指示信号出力部３２（本例では、左から１６１番目のデータ読み込み指示信号出力部３２１６１）にキャリー信号を送るかを切り替えるスイッチ（図示略）が設けられる。本例では、このスイッチが、データ読み込み指示信号出力部３２１０６からデータ読み込み指示信号出力部３２１６１にキャリー信号を送るように設定されているものとする。この設定により、中央に連続して配置されるデータ読み込み指示信号出力部３２１０７〜３２１６０はデータ読み込み指示信号を出力しないことになる。また、上記のスイッチが、データ読み込み指示信号出力部３２１０６からデータ読み込み指示信号出力部３２１０７にキャリー信号を送るように設定されていれば、中央のデータ読み込み指示信号出力部３２１０７〜３２１６０はデータ読み込み指示信号を出力することになる。
【０１２１】
データ読み込み指示信号出力部３２１６１以降の各データ読み込み指示信号出力部３２はそれぞれ、視認側から見て右隣のデータ読み込み指示信号出力部３２にキャリー信号を送る。
【０１２２】
従って、キャリー信号は、データ読み込み指示信号出力部３２２，３２３，３２４，・・・，３２１０６，３２１６１，３２１６２，・・・，３２２６７，３２２６８の順に送られる。
【０１２３】
なお、シフトレジスタ内で最後にキャリー信号を受け取るデータ読み込み指示信号出力部３２２６８は、視認側から見て右隣のソースドライバのシフトレジスタ３１（具体的には、第１スイッチ３）にキャリー信号を送る。左隣のソースドライバから第１スイッチ３を介してキャリー信号を受けたデータ読み込み指示信号出力部３２の動作も上記と同様である。
【０１２４】
図７は、第２の実施形態における逆スキャン時のキャリー信号の送り順の例を示す説明図である。逆スキャンの場合（例えば、スキャン態様設定用信号がローレベルの場合）、シフトレジスタ３１内のデータ読み込み指示信号出力部３２は、視認側から見て左隣のデータ読み込み指示信号出力部３２にキャリー信号を送る。図７に示す例では、一番右のソースドライバの第２スイッチ４によりスタートパルスが左から２６７番目のデータ読み込み指示信号出力部３２２６７に入力された場合を示す。この場合、データ読み込み指示信号出力部３２２６７を起点として、視認側からみて左側のデータ読み込み指示信号出力部３２に順次キャリー信号が送られる。
【０１２５】
また、左から１６１番目のデータ読み込み指示信号出力部３２１６１の左隣は、ソースラインに接続されない電位出力端Ｄ４７８〜Ｄ４８０に対応している。このような位置に該当する左から１６１番目のデータ読み込み指示信号出力部３２１６１には、視認側から見て左隣のデータ読み込み指示信号出力部３２１６０にキャリー信号を送るか、あるいは、視認側から見て左方向に位置し、ソースラインに接続された電位出力端に対応するデータ読み込み指示信号出力部３２の中で最も近いデータ読み込み指示信号出力部３２（本例では、左から１０６番目のデータ読み込み指示信号出力部３２１０６）にキャリー信号を送るかを切り替えるスイッチ（図示略）が設けられる。本例では、このスイッチが、データ読み込み指示信号出力部３２１６１からデータ読み込み指示信号出力部３２１０６にキャリー信号を送るように設定されているものとする。この設定により、中央に連続して配置されるデータ読み込み指示信号出力部３２１０７〜３２１６０はデータ読み込み指示信号を出力しないことになる。また、上記のスイッチが、データ読み込み指示信号出力部３２１６１からデータ読み込み指示信号出力部３２１６０にキャリー信号を送るように設定されていれば、中央のデータ読み込み指示信号出力部３２１０７〜３２１６０はデータ読み込み指示信号を出力することになる。
【０１２６】
データ読み込み指示信号出力部３２１０６以降の各データ読み込み指示信号出力部３２はそれぞれ、視認側から見て左隣のデータ読み込み指示信号出力部３２にキャリー信号を送る。
【０１２７】
従って、キャリー信号は、データ読み込み指示信号出力部３２２６７，３２２６６，３２２６５，・・・，３２１６１，３２１０６，３２１０５，・・・，３２２，３２１の順に送られる。
【０１２８】
なお、シフトレジスタ内で最後にキャリー信号を受け取るデータ読み込み指示信号出力部３２１は、視認側から見て左隣のソースドライバのシフトレジスタ３１（具体的には、第２スイッチ４）にキャリー信号を送る。右隣のソースドライバから第２スイッチ４を介してキャリー信号を受けたデータ読み込み指示信号出力部３２の動作も上記と同様である。
【０１２９】
次に、第２の実施形態における第１スイッチ３および第２スイッチ４について説明する。第１スイッチ３および第２スイッチ４は、例えば、シフトレジスタ３１内に設けられる。
【０１３０】
第２の実施形態では、ｋを２以上の整数のうちの１つとする。同様に、ｊを２以上の整数のうちの１つとする。また、１つのソースドライバのシフトレジスタ３１内のデータ読み込み指示信号出力部３２の数をｎとする。本実施形態では、ｎ＝２６８である。
【０１３１】
第１スイッチ３は、第１の実施形態と同様に、スタートパルス等をどのデータ読み込み指示信号出力部２に入力させるかを切り替え可能なスイッチである。ただし、第２の実施形態における第１スイッチ３は、少なくとも、スタートパルス等を一番左側のデータ読み込み指示信号出力部３２１に入力させるのか、または左からｋ番目のデータ読み込み指示信号出力部３２ｋに入力させるのかを切り替え可能なスイッチである。
【０１３２】
本実施形態では、左側から４番目から６番目までの３つの電位出力端Ｄ４〜Ｄ６に対応するデータ読み込み指示信号出力部３２２にスタートパルスを入力させるか否かを切り替え可能とするため、ｋ＝２とする。すなわち、本例では、第１スイッチ３は、少なくとも、スタートパルス等をデータ読み込み指示信号出力部３２１に入力させるか、あるいは、データ読み込み指示信号出力部３２２に入力させるかを切り替え可能なスイッチである。
【０１３３】
本例では、液晶パネルの解像度がＶＧＡである場合を例にしているので、ｋ＝２としたが、液晶パネルの解像度がＷＶＧＡ、ＳＷＶＧＡ等の場合には、ソースラインに接続させない左側の電位出力端の数に応じてｋを定めればよい。
【０１３４】
また、本例において、ＶＧＡ以外の液晶パネルにも適用できるように、第１スイッチ３は、データ読み込み指示信号出力部３２１，３２２の他に、他のデータ読み込み指示信号出力部３２にもスタートパルス等を入力するように切り替え可能であってもよい。
【０１３５】
本実施形態では、３つのソースドライバのうち、視認側から見て一番左側のソースドライバの第１スイッチ３は、データ読み込み指示信号出力部３２２にスタートパルス等を入力するように切り替えられる。残りの２つのソースドライバの第１スイッチ３は、データ読み込み指示信号出力部３２１にスタートパルス等を入力するように切り替えられる。
【０１３６】
第２スイッチ４は、第１の実施形態と同様に、スタートパルス等をどのデータ読み込み指示信号出力部２に入力させるかを切り替え可能なスイッチである。ただし、第２の実施形態における第２スイッチ４は、少なくとも、スタートパルス等を左からｎ番目のデータ読み込み指示信号出力部３２ｎに入力させるのか、または、左からｎ−ｊ＋１番目（ｊは２以上の整数）のデータ読み込み指示信号出力部３２ｎ−ｊ＋１に入力させるのかを切り替え可能なスイッチである。
【０１３７】
本実施形態では、右側から６番目から４番目までの３つの電位出力端Ｄ７９９〜Ｄ８０１に対応するデータ読み込み指示信号出力部３２２６７にスタートパルスを入力させるか否かを切り替え可能とするため、ｊ＝２とする。すなわち、本例では、第２スイッチ４は、少なくとも、スタートパルス等をデータ読み込み指示信号出力部３２２６８に入力させるか、あるいは、データ読み込み指示信号出力部３２２６７に入力させるかを切り替え可能なスイッチである。
【０１３８】
本例では、液晶パネルの解像度がＶＧＡである場合を例にしているので、ｊ＝２としたが、液晶パネルの解像度がＷＶＧＡ、ＳＷＶＧＡ等の場合には、ソースラインに接続させない右側の電位出力端の数に応じてｊを定めればよい。
【０１３９】
また、本例において、ＶＧＡ以外の液晶パネルにも適用できるように、第２スイッチ４は、データ読み込み指示信号出力部３２２６８，３２２６７の他に、他のデータ読み込み指示信号出力部３２にもスタートパルス等を入力するように切り替え可能であってもよい。
【０１４０】
本実施形態では、３つのソースドライバのうち、視認側から見て一番右側のソースドライバの第２スイッチ４は、データ読み込み指示信号出力部３２２６７にスタートパルス等を入力するように切り替えられる。残りの２つのソースドライバの第２スイッチ４は、データ読み込み指示信号出力部３２２６８にスタートパルス等を入力するように切り替えられる。
【０１４１】
電位設定部７は、ラッチ部１５のデータ保持部６（図５において図示略）が読み込んで保持している画像データをまとめて読み込む点の他は、第１の実施形態と同様である。
【０１４２】
なお、Ｒ用ラッチ部１５Ｒ、Ｇ用ラッチ部１５Ｇ、およびＢ用ラッチ部１５Ｂにおいて、１０７番目から１６０番目までの各データ保持部６には、データ読み込み指示信号が入力されないので、画像データが保持されない。よって、これらのデータ保持部６に関しては、電位設定部７は、画像データの読み込み、レベルシフト、Ｄ−Ａ変換を行わない。あるいは、Ｄ−Ａ変換を行っても変換後の出力はＬｏｗとする。また、電位設定部７は、これらのデータ保持部６に対応する電位出力端Ｄ３１９〜Ｄ４８０の状態を、ハイインピーダンス状態としてもよい。
【０１４３】
また、３つのソースドライバのうち、一番左のソースドライバ内のＲ用ラッチ部１５Ｒ、Ｇ用ラッチ部１５Ｇ、およびＢ用ラッチ部１５Ｂにおける一番左のデータ保持部６に関しても、そのソースドライバの電位設定部７は、画像データの読み込み、レベルシフト、Ｄ−Ａ変換を行わない。あるいは、Ｄ−Ａ変換を行っても変換後の出力はＬｏｗとする。そして、その電位設定部７は、これらのデータ保持部６に対応する電位出力端Ｄ１〜Ｄ３の状態を、ハイインピーダンス状態としてもよい。
【０１４４】
同様に、３つのソースドライバのうち、一番右のソースドライバ内のＲ用ラッチ部１５Ｒ、Ｇ用ラッチ部１５Ｇ、およびＢ用ラッチ部１５Ｂにおける一番右のデータ保持部６に関しても、そのソースドライバの電位設定部７は、画像データの読み込み、レベルシフト、Ｄ−Ａ変換を行わない。あるいは、Ｄ−Ａ変換を行っても変換後の出力はＬｏｗとする。そして、その電位設定部７は、これらのデータ保持部６に対応する電位出力端Ｄ８０２〜Ｄ８０４の状態を、ハイインピーダンス状態としてもよい。
【０１４５】
次に、動作について説明する。
まず、正スキャン時の動作について説明する。既に説明したように、視認側から見て一番左側のソースドライバの第１スイッチ３は、データ読み込み指示信号出力部３２２にスタートパルス等を入力するように切り替えられている。残りの２つのソースドライバの第１スイッチ３は、データ読み込み指示信号出力部３２１にスタートパルス等を入力するように切り替えられている。また、タイミングコントローラ（図示略）は、スキャン態様設定用信号をハイレベルに維持して、各ソースドライバのシフトレジスタ３１に出力しているものとする。
【０１４６】
タイミングコントローラ（図示略）は、図２に例示するＣＬＫを、各ソースドライバのシフトレジスタ３１に出力する。また、視認側から見て一番左のソースドライバの第１スイッチ３には、液晶パネルにおけるゲートラインの選択の切り替え周期と等しい周期で、スタートパルスを出力する。タイミングコントローラがスタートパルスを出力すると、スタートパルスの１周期の間に、各ソースドライバのシフトレジスタ３１およびラッチ部１５は、以下のように動作する。
【０１４７】
一番左のソースドライバの第１スイッチ３は、タイミングコントローラから入力されたスタートパルスをデータ読み込み指示信号出力部３２２に入力する。データ読み込み指示信号出力部３２２は、ＣＬＫの立ち上がりエッジにおいてスタートパルスがハイレベルになると、次のＣＬＫの立ち上がりエッジで、Ｒ用ラッチ部１５Ｒにおける左から２番目のデータ保持部６２（Ｒ）、Ｇ用ラッチ部１５Ｇにおける左から２番目のデータ保持部６２（Ｇ）、およびＢ用ラッチ部１５Ｂにおける左から２番目のデータ保持部６２（Ｂ）に対してそれぞれデータ読み込み指示信号を出力する。すると、データ保持部６２（Ｒ）はＲ画素の画像データを読み込み、保持する。同様に、データ保持部６２（Ｇ）はＧ画素の画像データを読み込んで保持し、データ保持部６２（Ｂ）はＢ画素の画像データを読み込んで保持する。
【０１４８】
また、データ読み込み指示信号出力部３２２は、キャリー信号を次のデータ読み込み指示信号出力部３２３に送る。キャリー信号を受けたデータ読み込み指示信号出力部３２３は、次のＣＬＫの立ち上がりエッジでデータ読み込み指示信号をデータ保持部６３（Ｒ）、データ保持部６３（Ｇ）、データ保持部６３（Ｂ）にそれぞれ出力する。すると、データ保持部６３（Ｒ）、データ保持部６３（Ｇ）、データ保持部６３（Ｂ）は、それぞれ１画素分の画像データを読み込み、保持する。そして、データ読み込み指示信号出力部３２３は、キャリー信号を次のデータ読み込み指示信号出力部３２４に送る。以降、同様の動作を繰り返す。
【０１４９】
正スキャン時のキャリー信号の送り順は、既に説明したように、データ読み込み指示信号出力部３２２，３２３，３２４，・・・，３２１０６，３２１６１，３２１６２，・・・，３２２６７，３２２６８の順である。従って、Ｒ用ラッチ部１５Ｒにおけるデータ保持部６２（Ｒ）〜６１０６（Ｒ）、およびデータ保持部６１６１（Ｒ）〜６２６８（Ｒ）がＲ画素の画像データを読み込み、保持する。同様に、Ｇ用ラッチ部１５Ｇにおけるデータ保持部６２（Ｇ）〜６１０６（Ｇ）、およびデータ保持部６１６１（Ｇ）〜６２６８（Ｇ）がＧ画素の画像データを読み込み、保持する。また、Ｂ用ラッチ部１５Ｂにおけるデータ保持部６２（Ｂ）〜６１０６（Ｂ）、およびデータ保持部６１６１（Ｂ）〜６２６８（Ｂ）がＢ画素の画像データを読み込み、保持する。
【０１５０】
また、一番左側のソースドライバにおけるデータ読み込み指示信号出力部３２２６８は、左から２番目のソースドライバの第１スイッチ３にキャリー信号を送る。左から２番目のソースドライバにおいて、このキャリー信号は、第１スイッチ３を介してデータ読み込み指示信号出力部３２１に入力される。以降の動作は、データ読み込み指示信号出力部３２１を起点とする他は、一番左側のソースドライバと同様である。従って、左から２番目のソースドライバでは、データ読み込み指示信号出力部３２１，３２２，３２３，３２４，・・・，３２１０６，３２１６１，３２１６２，・・・，３２２６７，３２２６８の順にキャリー信号が送られる。その結果、Ｒ用ラッチ部１５Ｒにおけるデータ保持部６１（Ｒ）〜６１０６（Ｒ）、およびデータ保持部６１６１（Ｒ）〜６２６８（Ｒ）がＲ画素の画像データを読み込み、保持する。同様に、Ｇ用ラッチ部１５Ｇにおけるデータ保持部６１（Ｇ）〜６１０６（Ｇ）、およびデータ保持部６１６１（Ｇ）〜６２６８（Ｇ）がＧ画素の画像データを読み込み、保持する。また、Ｂ用ラッチ部１５Ｂにおけるデータ保持部６１（Ｂ）〜６１０６（Ｂ）、およびデータ保持部６１６１（Ｂ）〜６２６８（Ｇ）がＧ画素の画像データを読み込み、保持する。
【０１５１】
また、左から２番目のソースドライバにおけるデータ読み込み指示信号出力部３２２６８は、一番右側のソースドライバの第１スイッチ３にキャリー信号を送る。一番右側のソースドライバにおいて、このキャリー信号は、第１スイッチ３を介してデータ読み込み指示信号出力部３２１に入力される。従って、一番右側のソースドライバの動作は、左から２番目のソースドライバの動作と同様である。ただし、ＶＧＡの液晶パネルにおける左から１９１８〜１９２０番目の画素（１行における右端の３つの画素）の画像データは、データ保持部６２６７（Ｒ），６２６７（Ｇ），６２６７（Ｂ）に読み込まれ、データ保持部６２６８（Ｒ），６２６８（Ｇ），６２６８（Ｂ）は、データを読み込まない。
【０１５２】
３つのソースドライバのシフトレジスタ３１およびラッチ部１５は、スタートパルスの周期内で、以上の動作を完了する。この結果、液晶パネルの１行分に相当する１９２０個の画像データが、３つのソースドライバのラッチ部１５に記憶される。
【０１５３】
各ソースドライバの電位設定部７は、次のスタートパルス前のデータ読み込み指示信号を検出すると、ラッチ部１５に保持されている画像データを読み込み、その画像データに対してレベルシフトを行い、レベルシフト後の画像データに対してＤ−Ａ変換を行う。そして、Ｄ−Ａ変換後の電位（画像データに応じた電位）を、ボルテージフォロワを介して電位出力端から出力する。画像データを保持していたデータ保持部６に対応する電位出力端には、ソースラインが接続されている。従って、１９２０本の各ソースラインには、１９２０個の画像データに応じた電位がそれぞれ設定される。
【０１５４】
各ソースドライバは、スタートパルスの周期毎に同様の動作を繰り返す。すなわち、スタートパルスの１周期で、１行分の画像データを読み込み、次の周期のスタートパルスの発行前のデータ読み込み指示信号を検出すると、その画像データに応じた電位をソースラインに設定する。
【０１５５】
次に、逆スキャン時の動作について説明する。既に説明したように、視認側から見て一番右側のソースドライバの第２スイッチ４は、データ読み込み指示信号出力部３２２６７にスタートパルス等を入力するように切り替えられている。残りの２つのソースドライバの第２スイッチ４は、データ読み込み指示信号出力部３２２６８にスタートパルス等を入力するように切り替えられている。また、タイミングコントローラ（図示略）は、スキャン態様設定用信号をローレベルに維持して、各ソースドライバのシフトレジスタ３１に出力しているものとする。
【０１５６】
タイミングコントローラ（図示略）は、図２に例示するＣＬＫを、各ソースドライバのシフトレジスタ３１に出力する。また、視認側から見て一番右のソースドライバの第２スイッチ４には、液晶パネルにおけるゲートラインの選択の切り替え周期と等しい周期で、スタートパルスを出力する。タイミングコントローラがスタートパルスを出力すると、スタートパルスの１周期の間に、各ソースドライバのシフトレジスタ３１およびラッチ部１５は、以下のように動作する。
【０１５７】
一番右のソースドライバの第２スイッチ４は、タイミングコントローラから入力されたスタートパルスをデータ読み込み指示信号出力部３２２６７に入力する。データ読み込み指示信号出力部３２２６７は、ＣＬＫの立ち上がりエッジにおいてスタートパルスがハイレベルになると、次のＣＬＫの立ち上がりエッジで、Ｒ用ラッチ部１５Ｒにおける左から２６７番目のデータ保持部６２６７（Ｒ）、Ｇ用ラッチ部１５Ｇにおける左から２６７番目のデータ保持部６２６７（Ｇ）、およびＢ用ラッチ部１５Ｂにおける左から２６７番目のデータ保持部６２６７（Ｂ）に対してそれぞれデータ読み込み指示信号を出力する。すると、データ保持部６２６７（Ｒ）はＲ画素の画像データを読み込み、保持する。同様に、データ保持部６２６７（Ｇ）はＧ画素の画像データを読み込んで保持し、データ保持部６２６７（Ｂ）はＢ画素の画像データを読み込んで保持する。
【０１５８】
また、データ読み込み指示信号出力部３２２６７は、キャリー信号を次のデータ読み込み指示信号出力部３２２６６に送る。キャリー信号を受けたデータ読み込み指示信号出力部３２２６６は、次のＣＬＫの立ち上がりエッジでデータ読み込み指示信号をデータ保持部６２６６（Ｒ）、データ保持部６２６６（Ｇ）、データ保持部６２６６（Ｂ）にそれぞれ出力する。すると、データ保持部６２６６（Ｒ）、データ保持部６２６６（Ｇ）、データ保持部６２６６（Ｂ）は、それぞれ１画素分の画像データを読み込み、保持する。そして、データ読み込み指示信号出力部３２２６６は、キャリー信号を次のデータ読み込み指示信号出力部３２２６５に送る。以降、同様の動作を繰り返す。
【０１５９】
逆スキャン時のキャリー信号の送り順は、既に説明したように、データ読み込み指示信号出力部３２２６７，３２２６６，３２２６５，・・・，３２１６１，３２１０６，３２１０５，・・・，３２２，３２１の順である。従って、Ｒ用ラッチ部１５Ｒにおけるデータ保持部６１（Ｒ）〜６１０６（Ｒ）、およびデータ保持部６１６１（Ｒ）〜６２６７（Ｒ）がＲ画素の画像データを読み込み、保持する。同様に、Ｇ用ラッチ部１５Ｇにおけるデータ保持部６１（Ｇ）〜６１０６（Ｇ）、およびデータ保持部６１６１（Ｇ）〜６２６７（Ｇ）がＧ画素の画像データを読み込み、保持する。また、Ｂ用ラッチ部１５Ｂにおけるデータ保持部６１（Ｂ）〜６１０６（Ｂ）、およびデータ保持部６１６１（Ｂ）〜６２６７（Ｂ）がＢ画素の画像データを読み込み、保持する。
【０１６０】
また、一番右側のソースドライバにおけるデータ読み込み指示信号出力部３２１は、左から２番目のソースドライバの第２スイッチ４にキャリー信号を送る。左から２番目のソースドライバにおいて、このキャリー信号は、第２スイッチ４を介してデータ読み込み指示信号出力部３２２６８に入力される。以降の動作は、データ読み込み指示信号出力部３２２６８を起点とする他は、一番右側のソースドライバと同様である。従って、左から２番目のソースドライバでは、データ読み込み指示信号出力部３２２６８，３２２６７，３２２６６，３２２６５，・・・，３２１６１，３２１０６，３２１０５，・・・，３２２，３２１の順にキャリー信号が送られる。その結果、Ｒ用ラッチ部１５Ｒにおけるデータ保持部６１（Ｒ）〜６１０６（Ｒ）、およびデータ保持部６１６１（Ｒ）〜６２６８（Ｒ）がＲ画素の画像データを読み込み、保持する。同様に、Ｇ用ラッチ部１５Ｇにおけるデータ保持部６１（Ｇ）〜６１０６（Ｇ）、およびデータ保持部６１６１（Ｇ）〜６２６８（Ｇ）がＧ画素の画像データを読み込み、保持する。また、Ｂ用ラッチ部１５Ｂにおけるデータ保持部６１（Ｂ）〜６１０６（Ｂ）、およびデータ保持部６１６１（Ｂ）〜６２６８（Ｂ）がＢ画素の画像データを読み込み、保持する。
【０１６１】
また、左から２番目のソースドライバにおけるデータ読み込み指示信号出力部３２１は、一番左側のソースドライバの第２スイッチ４にキャリー信号を送る。一番左側のソースドライバにおいて、このキャリー信号は、第２スイッチ４を介してデータ読み込み指示信号出力部３２２６８に入力される。従って、一番左側のソースドライバの動作は、左から２番目のソースドライバの動作と同様である。ただし、ＶＧＡの液晶パネルにおける左から１〜３番目の画素（１行における左端の３つの画素）の画像データは、データ保持部６２（Ｒ），６２（Ｇ），６２（Ｂ）に読み込まれ、データ保持部６１（Ｒ），６１（Ｇ），６１（Ｂ）は、データを読み込まない。
【０１６２】
３つのソースドライバのシフトレジスタ３１およびラッチ部１５は、スタートパルスの周期内で、以上の動作を完了する。この結果、液晶パネルの１行分に相当する１９２０個の画像データが、３つのソースドライバのラッチ部１５に記憶される。
【０１６３】
各ソースドライバの電位設定部７は、次のスタートパルス前のデータ読み込み指示信号を検出すると、ラッチ部１５に保持されている画像データを読み込み、その画像データに対してレベルシフトを行い、レベルシフト後の画像データに対してＤ−Ａ変換を行う。そして、Ｄ−Ａ変換後の電位（画像データに応じた電位）を、ボルテージフォロワを介して電位出力端から出力する。画像データを保持していたデータ保持部６に対応する電位出力端には、ソースラインが接続されている。従って、１９２０本の各ソースラインには、１９２０個の画像データに応じた電位がそれぞれ設定される。
【０１６４】
各ソースドライバは、スタートパルスの周期毎に同様の動作を繰り返す。すなわち、スタートパルスの１周期で、１行分の画像データを読み込み、次の周期のスタートパルスの発行前のデータ読み込み指示信号を検出すると、その画像データに応じた電位をソースラインに設定する。
【０１６５】
本実施形態においても、第１スイッチ３および第２スイッチ４を備えている。従って、正スキャン時には第１スイッチ３に入力されたスタートパルスをデータ読み込み指示信号出力部３２２に直接入力することができる。また、逆スキャン時には第２スイッチ４に入力されたスタートパルスをデータ読み込み指示信号出力部２２６７に直接入力することができる。従って、一番左側のソースドライバにおける左側の電位出力端や、一番右側のソースドライバにおける右側の電位出力端がソースラインに接続されなくても、ソースドライバは、スタートパルスの入力後、ダミーデータなしで、直接、実際の画像データの読み込みを開始することができる。
【０１６６】
また、中央に連続して配置されるデータ読み込み指示信号出力部１０７〜１６０からデータ読み込み指示信号を出力するか否かを切り替えることができるので、本実施形態のソースドライバの適用範囲を広げることができる。例えば、ＷＶＧＡの液晶パネルを３個のソースドライバで駆動する場合にも適用できる。
【０１６７】
なお、第１および第２の実施形態では３つのソースドライバを用いて、ＶＧＡの液晶パネルを駆動する場合を例に説明したが、液晶パネルの解像度はＶＧＡに限定されない。また、液晶パネルを駆動するソースドライバの数も３個に限定されない。ソースドライバと液晶パネルの解像度の組み合わせに応じて、第１の実施形態や第２の実施形態におけるｋおよびｊの値を適宜定めればよい。例えば、図８に示したように、右端に６個余らせる場合にも適用できる。
【産業上の利用可能性】
【０１６８】
本発明は、液晶パネルのソースラインの電位を設定するソースドライバに好適に適用される。また、ソースドライバを有する液晶表示装置に適用される。特に外側の少なくとも１個の電位出力端を余らせて、液晶パネルのソースラインに接続させない液晶表示装置に好適に適用される。さらに、ソースドライバを液晶パネルに実装し、そのソースドライバのどちらか一方側の少なくとも１個の電位出力端、または両側それぞれの少なくとも１個の電位出力端を余らせて、液晶パネルのソースラインに接続させない液晶表示装置に好適に適用される。
【符号の説明】
【０１６９】
１，３１  シフトレジスタ
１０，３０  ソースドライバ
２，３２  データ読み込み指示信号出力部
３  第１スイッチ
４  第２スイッチ
５，１５  ラッチ部
６  データ保持部
７  電位設定部
１５Ｒ  Ｒ用ラッチ部
１５Ｇ  Ｇ用ラッチ部
１５Ｂ  Ｂ用ラッチ部
【図１】
2012128095.tif 000003
【図２】
2012128095.tif 000004
【図３】
2012128095.tif 000005
【図４】
2012128095.tif 000006
【図５】
2012128095.tif 000007
【図６】
2012128095.tif 000008
【図７】
2012128095.tif 000009
【図８】
2012128095.tif 000010
【図９】
2012128095.tif 000011